(57)【要約】【課題】  札を収納可能な二つ折りの財布において、財布を二つ折りにした状態のままで札を出し入れすることができる外観品質に富んだ財布を提供する。【解決手段】  長さ方向に二つ折りに形成された札入れ部を備えた財布であって、上記札入れ部の内方側には、長さ方向半部に形成されたコイン収納部が設けられると共に、上記札入れ部の長さ方向の端部には、上記コイン収納部の外方部位に、札を出し入れ可能な札出し入れ開口部が形成されている。【選択図】  図１
0003152943.tif 000002
【実用新案登録請求の範囲】
【請求項１】
長さ方向に二つ折り可能に形成された札入れ部を備えた財布であって、
上記札入れ部の内方側には、長さ方向半部に形成されたコイン収納部が設けられると共に、上記札入れ部の長さ方向の端部には、上記コイン収納部の外方部位に、札を出し入れ可能な札出し入れ開口部が形成されていることを特徴とする財布。
【請求項２】
上記コイン収納部には、上記札出し入れ開口部を閉止しうるフラップ部が設けられていることを特徴とする請求項１記載の財布。
【請求項３】
上記コイン収納部は、札入れ部の長さ方向の端部側にコイン出し入れ開口部が、上記札出し入れ開口部に並んで形成されると共に、上記フラップ部は上記コイン収納部の内方側に端部が固定されると共に、上記札入れ部及びコイン収納部の長さ方向端部を折曲状態で被覆して、コイン出し入れ開口部及び上記札出し入れ開口部を閉止することを特徴とする請求項１及び２記載の財布。
【考案の詳細な説明】
【技術分野】
【０００１】
本考案は財布に係り、特に、札入れ部に収納した札をコイン収納部から抜き出すことができる二つ折り可能な財布に関する。
【背景技術】
【０００２】
従来の二つ折り可能な財布は、一般的に、札入れ部と、札入れ部の内方側に形成されたコイン収納部とを有しており、札とコインとは夫々別個に収納されていた。
【０００３】
この場合、札入れ部は、財布の長さ方向上端部に沿って形成された開口部のみからしか出し入れできなかったことから、札の出し入れは、二つ折りにした財布を一度拡げてから行う必要があり、財布の折畳み動作が非常に煩雑であった。
【０００４】
このような観点から、従来、札入れ部の長さ方向端部に札の出し入れ開口部を形成した二つ折り財布が提案されていた。
しかしながら、このような従来の二つ折り財布にあっては、コイン収納部が上記札入れ部の外方側に設けられていたことから、コイン収納部が札入れ部の外側に後付けされたかのような印象を与え、札入れ部とコイン収納部との一体感に欠け、札入れとしての外観品質が低く、かつ使用しにくい、という不具合があった。
【特許文献１】実用新案登録第３０５５８５８号
【考案の開示】
【考案が解決しようとする課題】
【０００５】
そこで、本考案が解決しようとする課題は、札を収納可能な二つ折りの財布において、財布を二つ折りにした状態のままで札を出し入れすることができる外観品質に富んだ財布を提供することにある。
【課題を解決するための手段】
【０００６】
上記課題を解決するために、請求項１の考案にかかる財布は、長さ方向に二つ折りに形成された札入れ部を備えた財布であって、上記札入れ部の内方側には、長さ方向半部に形成されたコイン収納部が設けられると共に、上記札入れ部の長さ方向の端部には、上記コイン収納部の外方部位に、札を出し入れ可能な札出し入れ開口部が形成されていることを特徴とする。
【０００７】
従って、請求項１記載の考案にあっては、札は上記札出し入れ開口部から札入れ部への出し入れが可能となる。また、上記コイン収納部は札入れ部の内方に設けられており、札入れ外方から直接視認されることはない。
【０００８】
請求項２記載の考案にあっては、上記コイン収納部には、上記札出し入れ開口部を閉止しうるフラップ部が設けられていることを特徴とする。
従って、請求項２記載の考案にあっては、上記札出し入れ開口部は上記フラップ部により開閉される。
【０００９】
請求項３記載の考案にあっては、上記コイン収納部は、札入れ部の長さ方向の端部側にコイン出し入れ開口部が、上記札出し入れ開口部に並んで形成されると共に、上記フラップ部は上記コイン収納部の内方側に端部が固定されると共に、上記札入れ部及びコイン収納部の長さ方向端部を折曲状態で被覆して、コイン出し入れ開口部及び上記札出し入れ開口部を閉止することを特徴とする。
【００１０】
従って、請求項３記載の考案にあっては、上記フラップ部は上記札出し入れ開口部及びコイン出し入れ開口部の双方を開閉可能に被覆する。
【考案の効果】
【００１１】
従って、請求項１〜３記載の考案にあっては、札は上記札出し入れ開口部から札入れ部への出し入れが可能となり、上記コイン収納部は札入れ部の内方に設けられており、札入れ部外方から直接視認されることはないことから、コイン収納部が札いれ部の外方に独立して取り付けられている印象を与えることがなく、財布を二つ折りにした状態のままで札を出し入れすることができる外観品質に富んだ財布を提供することができる。
【図面の簡単な説明】
【００１２】
【図１】本考案に係る財布の一実施の形態を示し、札の出し入れの状態を示す斜視図である。
【図２】本考案に係る財布の一実施の形態を示す斜視図である。
【図３】本考案に係る財布の一実施の形態を示す斜視図である。
【考案を実施するための最良の形態】
【００１３】
以下、添付図面に示す実施の形態に基づき、本考案を詳細に説明する。
図１に示すように、本実施の形態に係る財布１０は、札１１を収納可能であって長さ方向に沿って二つ折りに形成された札入れ部１２を備えた財布として形成されている。
上記札入れ部１２の厚さ方向の内方側には、長さ方向半部に形成されたコイン収納部１３が設けられると共に、上記札入れ部１２の長さ方向のコイン収納部１３側端部には、上記コイン収納部１３の厚さ方向における外方部位に、札を出し入れ可能な札出し入れ開口部１４が形成されている。
【００１４】
本実施の形態に係る財布１０は、一般の二つ折りの財布と同様に、側面長方形状の札入れ部１２の厚さ方向内方側には、上記コイン収納部１３の長さ方向の反対側半部にはカード収納部１５が形成されている。
上記コイン収納部１３は、上記札入れ部１２を形成する内方材１６の内方側において、厚さ方向中間部に設けられた仕切り材１８と、上記仕切り材１８のさらに内方側に配設されたカバー材１９と、上記内方材１６、外方材１７及び二つ折り可能に形成されたカバー材１９の上下方向端部を折畳み可能に接合する上方蛇腹部材２０及び下方蛇腹部材２１とにより構成されている。
【００１５】
従って、本実施の形態にあっては、上記内方材１６と上記仕切り材１８との間、及び上記仕切り材１８とカバー材１９との間に夫々、コイン収納部１３ａ，１３ｂが形成される。
上記札入れ部１２の上方には第一の札出し入れ開口部２３が形成されており、さらに、本実施の形態にあっては、上記札出し入れ部１２を形成する内方材１６の長さ方向端部には、幅方向全域に亘って、第二の札出し入れ開口部１４が開設されている。
【００１６】
上記第二の札出し入れ開口部１４は上記札入れ部１２の幅方向に沿って所定の幅寸法に形成され、上記札出し入れ部１２に札を収納した場合には、上記第二の札出し入れ開口部１４に札の長さ方向端部が、使用者が指で札をつまめるように配置されるように形成されている。
【００１７】
また、本実施の形態にあっては、図２に示すように、上記二つ折り可能なカバー材１９は、コイン収納時には、札入れ部１２を形成する外方材２２方向へ折られ、上記コイン収納部１３ａ，１３ｂ及び上記第二の札出し入れ開口部１４を被覆すると共に、上記カバー材１９及び札入れ部１２の裏面側に取り付けられた固定用ホック２３ａ，２３ｂにより札入れ部１２に固定される。
【００１８】
一方、図３に示すように、上記カバー材１９の折曲部２６の内方側近傍には舌状の固定用部材２５が設けられており、持ち運び時には、上記カード収納部１５の裏面側の上記札入れ部を形成する外方材２４の表面部に固定されたホック（図示せず）に上記固定部材２５に設けられたホック（図示せず）により係合して固定される。従って、財布１０はこの状態で携帯できるように構成されている。
【００１９】
以下、本実施の形態に係る作用を記載する。
従って、本実施の形態に係る財布１０を使用する場合には、上記札入れ部１２に札を収納した場合には、上記のように、札の長さ方向端部は、上記第二の札出し入れ開口部１４内に配置される。
【００２０】
従って、使用者は、上記カバー材１９を開くことにより、札入れ部１２内の札を上記第一の札出し入れ開口部２３から出し入れすることもでき、また、第二の札出し入れ開口部１４から出し入れすることもできる。
その結果、札の出し入れをする場合に、常時、財布１０を折畳んだ状態から開く必要はなく、携帯している折畳んだ状態のままで迅速に札を出し入れすることができる。
【００２１】
また、本実施の形態にあっては、同様に、上記カバー材１９を開放した場合には、上記コイン収納部１３ａ，１３ｂも開口することから、札の出し入れとコインの出し入れを同時に迅速に行うことができる。
さらに、上記コイン収納部１３ａ，１３ｂは札入れ部１２の厚さ方向の内方側に形成されていることから、コイン収納部が独立して形成されているかのような印象を使用者に与えることがなく、デザイン上も優れ、外観品質に富んだ財布を提供することができる。
【産業上の利用可能性】
【００２２】
本考案に係る財布は、広く、長さ方向に二つ折り可能に形成された札入れ部を備えた財布に適用することができる。
【符号の説明】
【００２３】
１０  財布
１１  札
１２  札入れ部
１３  コイン収納部
１４  札出し入れ開口部
１５  カード収納部
１６  内方材
１７  外方材
１８  仕切り材
１９  カバー材
２０  上方蛇腹部材
２１  下方蛇腹部材
２２  外方材
２３  札出し入れ開口部
２４  外方材
２５  固定部材
２６  折曲部
【図１】
0003152943.tif 000003
【図２】
0003152943.tif 000004
【図３】
0003152943.tif 000005
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
長さ方向に二つ折り可能に形成された札入れ部を備えた財布であって、
上記札入れ部の内方側には、長さ方向半部に形成されたコイン収納部が設けられると共に、上記札入れ部の長さ方向の端部には、上記コイン収納部の外方部位に、札を出し入れ可能な札出し入れ開口部が形成されていることを特徴とする財布。
【請求項２】
上記コイン収納部には、上記札出し入れ開口部を閉止しうるフラップ部が設けられていることを特徴とする請求項１記載の財布。
【請求項３】
上記コイン収納部は、札入れ部の長さ方向の端部側にコイン出し入れ開口部が、上記札出し入れ開口部に並んで形成されると共に、上記フラップ部は上記コイン収納部の内方側に端部が固定されると共に、上記札入れ部及びコイン収納部の長さ方向端部を折曲状態で被覆して、コイン出し入れ開口部及び上記札出し入れ開口部を閉止することを特徴とする請求項２記載の財布。